(57)【特許請求の範囲】
【請求項１】
通気、採光用の貫通孔が形成されたシャッターカーテンのスラットを形成するにあたり、スラットは、上下方向中間部の平板状の本体部と、上下端縁部の連結片部とを備え、前記本体部の屋内外面に、それぞれ屋内外方向に突出する左右方向に長い屋内側リブおよび屋外側リブを上下に複数形成するとともに、これら屋内外側リブの上下対向間に形成され、指先が入り込まない長さに設定された平板部に、複数の貫通孔を打ち抜き形成したことを特徴とするシャッターカーテンのスラット。
【請求項２】
平板部は、上下方向に複数形成されるものとし、各平板部には、貫通孔の左右方向幅よりも長い対向間隔を存して左右方向に複数の貫通孔が形成され、任意の平板部に形成される貫通孔は、上下に隣接する平板部の前記対向間隔に対向して形成されていることを特徴とする請求項１に記載のシャッターカーテンのスラット。
【請求項３】
屋内外側リブは、本体部に対して屋内側ほど高位となる傾斜状に形成されるとともに、貫通孔の上下の孔端面は、屋内側ほど高位となる傾斜面に形成されていることを特徴とする請求項１または２に記載のシャッターカーテンのスラット。
【請求項４】
本体部は、上下端縁部の連結片部形成位置よりも屋内側に偏倚して形成されるものとし、上側の連結片部と本体部とのあいだの屋外側面には、下方に突出して雨水を下方に誘導する雨水誘導突起が形成されている請求項１乃至３の何れか１項に記載のシャッターカーテンのスラット。
【発明の詳細な説明】
【技術分野】
【０００１】
本発明は、建築物の出入り口部や窓部等の開口部に設けられるシャッターカーテンのスラットの技術分野に関するものである。
【背景技術】
【０００２】
一般に、建築用シャッター装置のなかには、開閉方向複数枚のスラットを揺動自在に連結してシャッターカーテンを構成し、該シャッターカーテンを巻取りドラムに巻装して、巻取りドラムの正逆回転に伴いシャッターカーテンが開口部を開放する全開姿勢と開口部を閉鎖する全閉姿勢とのあいだを開閉変姿するように構成したものがある。このようなものにおいて、シャッターカーテンに通気、採光機能を備えたものとしては、貫通孔が形成されない目隠し状のスラットの複数枚を、シャッターカーテンの全閉姿勢への変姿の前後で傾斜姿勢となるよう連結し、該傾斜姿勢において隣接するスラット同士のあいだに通気、採光用の隙間が形成されるようにしたもの等が提唱されている。ところが、このものでは、プライバシー保護機能や通風、採光機能については十分確保できるもののコスト高になるという問題がある。そこで、通気、採光可能なシャッター装置を安価に提供する手法として、シャッターカーテンのスラットに通気、採光用の貫通孔を複数形成するようにしたものが提唱され、シャッターカーテンを構成する全てのスラットを貫通孔付きとしたもの（特許文献１）、あるいは、シャッターカーテンの一部のスラットを貫通孔付きとしたもの（特許文献２）等が知られている。
【先行技術文献】
【特許文献】
【０００３】
【特許文献１】特開平１０−９６３８１号公報
【特許文献２】特開２００２−３８８４５号公報
【発明の概要】
【発明が解決しようとする課題】
【０００４】
しかしながら、前記特許文献１のものは、金属製材で構成される長尺状のスラットに対し打ち抜き加工を施すことにより、庇付きの通気用貫通孔を形成するものであり、特許文献２のものは、金属製材で構成される長尺状のスラットに対して打ち抜き加工を施し、屋内外方向に貫通する通気用貫通孔を形成するとともに、貫通孔に開閉自在な透光窓を設けるようにしたものとなっている。そして、これらのものは、何れのものも、金属製材料に貫通孔を形成するため、貫通孔の孔縁となる切断面に打ち抜き方向先側に突出するバリが形成されており、これらバリに触れることにより手を切る等の惧れがあって問題がある。特に、特許文献１のものでは、庇を形成することにより雨仕舞いのよいスラットとすことができるが、庇の下端縁部となる切断面にも打ち抜き加工によるバリが形成され、仮令庇の下端縁部の形状を円弧状として、庇の高端縁部に直線部分や鋭角部分がないようにしたとしても、端縁部から突出するバリに触れて怪我をする惧れがあって問題がある。これを回避するには、バリ処理加工を別途実施すればよいが、このようにすると、作業工程数が増加し、コスト高になるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、通気、採光用の貫通孔が形成されたシャッターカーテンのスラットを形成するにあたり、スラットは、上下方向中間部の平板状の本体部と、上下端縁部の連結片部とを備え、前記本体部の屋内外面に、それぞれ屋内外方向に突出する左右方向に長い屋内側リブおよび屋外側リブを上下に複数形成するとともに、これら屋内外側リブの上下対向間に形成され、指先が入り込まない長さに設定された平板部に、複数の貫通孔を打ち抜き形成したことを特徴とするシャッターカーテンのスラットである。
請求項２の発明において、平板部は、上下方向に複数形成されるものとし、各平板部には、貫通孔の左右方向幅よりも長い対向間隔を存して左右方向に複数の貫通孔が形成され、任意の平板部に形成される貫通孔は、上下に隣接する平板部の前記対向間隔に対向して形成されていることを特徴とする請求項１に記載のシャッターカーテンのスラットである。
請求項３の発明において、屋内外側リブは、本体部に対して屋内側ほど高位となる傾斜状に形成されるとともに、貫通孔の上下の孔端面は、屋内側ほど高位となる傾斜面に形成されていることを特徴とする請求項１または２に記載のシャッターカーテンのスラットである。
請求項４の発明において、本体部は、上下端縁部の連結片部形成位置よりも屋内側に偏倚して形成されるものとし、上側の連結片部と本体部とのあいだの屋外側面には、下方に突出して雨水を下方に誘導する雨水誘導突起が形成されている請求項１乃至３の何れか１項に記載のシャッターカーテンのスラットである。
【発明の効果】
【０００６】
請求項１の発明とすることにより、バリ処理作業を不要にできて、コスト低下に寄与できるとともに、雨仕舞いに優れ、しかも、強度アップが図られた通気用スラットを提供できる。
請求項２の発明とすることにより、多数の貫通孔が形成されるものでありながら、本体部の強度が損なわれない。
請求項３の発明とすることにより、貫通孔による通気、採光機能を損なうことなく、雨仕舞いに一層優れた通気用スラットとすることができる。
請求項４の発明とすることにより、雨仕舞いのさらなる向上を図ることができる。
【図面の簡単な説明】
【０００７】
【図１】建築用シャッター装置の屋外側からの正面図である。
【図２】建築用シャッター装置の側面断面図である。
【図３】図３（Ａ）、（Ｂ）はそれぞれシャッターカーテンの一部を切欠いた背面図、側面図、図３（Ｃ）は閉塞用スラットの側面図である。
【図４】図４（Ａ）、（Ｂ）はそれぞれ通気用スラットの正面図、図４（Ａ）のＸ−Ｘ断面図である。
【図５】図５（Ａ）、（Ｂ）はそれぞれ施錠用スラットの正面背面図、図５（Ａ）のＸ−Ｘ断面図である。
【図６】図６（Ａ）、（Ｂ）はそれぞれ第二の実施の形態における通気用スラットの正面図、図６（Ａ）のＸ−Ｘ断面図である。
【発明を実施するための形態】
【０００８】
以下、本発明の第一の実施の形態について、図面に基づいて説明する。
図面において、１は住宅の窓部に設けられるバランス式（手動式）の建築用のシャッター装置であって、該シャッター装置１は、窓部に引き違い式に設けられる左右一対のサッシ窓（図示せず）の屋外側に設けられている。前記シャッター装置１を構成するシャッターカーテン２は、後述するように、左右方向に長い複数枚のスラットを揺動自在な状態で上下方向に一連状に連結することにより構成されている。前記シャッターカーテン２の上端縁部は、躯体開口部の上方に配されるシャッターケース３に正逆回転自在に内装される巻取りドラム４に連結されて、巻取りドラム４に巻装されるように構成されている。そして、巻取りドラム４に巻装されたシャッターカーテン２は、引下ろし操作（閉鎖操作）することに伴い、巻取りドラム４から巻出されて下方移動して開口部を閉鎖する全閉姿勢となり、引上げ操作（開放操作）することに伴い、上方移動して巻取りドラム４に巻取られて開口部を開放する全開姿勢となるように構成されている。このとき、シャッターカーテン２の左右両側縁部は、窓部屋外側の左右に立設されたガイドレール５に嵌挿されており、開閉移動における移動案内を受けるように構成されている。
また、前記巻取りドラム４には、シャッターカーテン２の巻出し（閉鎖作動）に伴い、該巻出されたシャッターカーテン２の自重にバランスする付勢力を蓄勢するバランス弾機４ａが介装されている。これによって、シャッターカーテン２は、下方に引き下げる閉鎖操作がなされることにより、自重閉鎖するとともにバランス弾機４ａが蓄勢され、上方へ引き上げる開放操作がなされることにより、バランス弾機４ａの付勢力を受ける状態で開口部を開放するように構成されており、これらの基本構成は何れも従来通りとなっている。
【０００９】
前記シャッターカーテン２は、図１、３に示すように、主として二種類のスラットを用いて構成されている。前記主たるスラットとしては、一般に汎用されるスラットであって、開口部を目隠し状に閉鎖する閉塞用スラット６と、該閉塞用スラット６とは異形となり、開口部を閉鎖した状態で通気、採光機能を果すよう構成された、本発明の通気用スラット７とが用いられている。そして、シャッターカーテン２は、上下方向中間部から上方部位については複数枚の閉塞用スラット６同士を連結して構成され、下方部位は複数枚の通気用スラット７同士を連結して構成されている。さらに、本実施の形態のシャッターカーテン２は、シャッターカーテン２の最下端であって、最下端に位置する通気用スラット７の下方に座板スラット８が連結され、また、最下端の閉塞用スラット６と最上端の通気用スラット７とのあいだに一枚の施錠用スラット９が連結されている。
【００１０】
前記閉塞用スラット６は、金属材（スティール）をロールフォーミングすることによって長尺状に形成されるものであって、一般的なシャッターカーテンに用いられる汎用タイプのものが採用されている。つまり、閉塞用スラット６は、図３（Ｃ）に示すように、上下方向中間部の本体部６ａと、該本体部６ａの上下端縁部の第一、第二連結片部（インターロック片部）６ｂ、６ｃとにより構成されている。前記本体部６ａは屋内側（内側）に向けて膨出する湾曲部を備えて形成されており、開口部を目隠し状に覆うように構成されている。また、第一、第二連結片部６ｂ、６ｃは側面視ロール形状となっており、隣接する閉塞用スラット６同士は、互いの第一、第二連結片部６ｂ、６ｃ同士を左右方向からスライド嵌入することにより、揺動自在なインターロック連結がなされるように構成されている。
尚、１０は、任意の閉塞用スラット６であって、あいだに二枚の閉塞用スラット６をおいた閉塞用スラット６の左右端部に配される端部材であって、これら端部材１０は、シャッターカーテン２の開閉移動時においてガイドレール５に対する緩衝、消音部材として機能するように構成されている。
【００１１】
また、前記通気用スラット７は、アルミニウム（アルミ材）を押し出し加工する工程と、打ち抜き加工する工程とを順次実施することにより形成されている。まず、アルミ材を押し出し加工により、上下方向中間部に位置する所定板厚Ｌ１を存した平板状の本体部７ａと、該本体部７ａの上下端縁部（短尺方向両端縁部）の第一、第二連結片部（インターロック片）７ｂ、７ｃとを備えた長尺体を形成し、続いて、長尺体に対し打ち抜き加工を実施して、本体部７ａの複数箇所に対して屋内外方向に貫通する貫通孔７ｄを形成することにより通気用スラット７が形成されている。
前記押し出し加工により形成される長尺体（通気用スラット７）において、本体部７ａは上下方向を向く平板状に形成されており、第一、第二連結片部７ｂ、７ｃよりも室内側に偏倚するように形成されている。また、第一、第二連結片部７ｂ、７ｃは互いにインターロック連結可能であり、さらには、閉塞用スラット６の第一、第二連結片部６ｂ、６ｃに対してもインターロック連結可能な形状に形成されており、隣接する通気用スラット７同士は、互いの第一、第二連結片部７ｂ、７ｃ同士を左右方向からスライド嵌入することにより、揺動自在なインターロック連結がなされるように構成されている。
【００１２】
さらに、通気用スラット７の本体部７ａは、図４（Ａ）、（Ｂ）に示すように、予め設定される板厚Ｌ１を存して形成されている。そして、本体部７ａの屋内外面には、それぞれ屋内外方向に向けて突出する左右方向に長い屋内側リブ７ｅ、屋外側リブ７ｆ（屋内外側リブ７ｅ、７ｆ）が上下方向に複数形成されており、これによって、本体部７ａの強度アップを図れるように構成されている。これら屋内外側リブ７ｅ、７ｆは、それぞれ本体部７ａに対して直交方向に突出し、かつ、上下方向同位置において形成されている。そして、本体部７ａの屋内外側リブ７ｅ、７ｆ形成部位は板厚Ｌ２となって、屋内外側リブ７ｅ、７ｆが形成されない板厚Ｌ１の部位よりも厚板状となるように構成されている。前記屋内外側リブ７ｅ、７ｆは、本実施の形態では、それぞれ上下方向に十二本形成されており、第一間隔Ｈ１を存する二本の屋内外側リブ７ｅ、７ｆを一組としたとき、六組の屋内外側リブ７ｅ、７ｆが上下方向に第二間隔Ｈ２を存して形成されている。これら上下方向に隣接する二組の屋内外側リブ７ｅ、７ｆのあいだ、即ち、第二間隔Ｈ２を存する屋内外側リブ７ｅ、７ｆの上下の対向間を平板部７ｇとしたとき、これら各平板部７ｇは上下方向五箇所に並列して形成され、それぞれ板厚Ｌ１、第二間隔Ｈ２に相当する上下長さを有するように設定されている。ここで、第二間隔Ｈ２は第一間隔Ｈ１よりも長い寸法（Ｈ２＞Ｈ１）に設定されるとともに、本実施の形態では、第二間隔Ｈ２は人の指先が入り込むことのない長さとして２ミリメートルに設定されている。
【００１３】
つぎに、押し出し加工により形成された長尺体に対し打ち抜き加工が実施されるが、該工程では、上下方向五箇所に形成される平板部７ｇに対し、打ち抜き具を屋外側から屋内側に向けて本体部７ａに対して直交状に打ち抜くことにより、複数の通気、採光機能を発揮する前記貫通孔７ｄが打ち抜き形成される。この場合に、各貫通孔７ｄは、図４（Ａ）に示すように、左右方向に長い長円形状となっており、左右幅Ｔ１（１５ミリメートル）に設定されるとともに、上下幅は平板部７ｇの上下長さ、即ち、第二間隔Ｈ２よりも僅かに短い上下孔長さＨ３（１．８ミリメートル）に設定されていて、一つ一つの貫通孔７ｄが小さいものとなって雨水等が吹き込み難い形状となっている。さらに、各平板部７ｇにおいて、左右方向に隣接する貫通孔７ｄ同士は、貫通孔７ｄの左右幅Ｔ１よりも長い対向間隔Ｔ２（２５ミリメートル）を存して形成されている。そして、任意の平板部７ｇに形成される貫通孔７ｄは、前記任意の平板部７ｇの上下方向に隣接する平板部７ｇの対向間隔Ｔ２に隣接する部位に位置して形成されている。これによって、左右方向に並列する貫通孔７ｄは、貫通孔７ｄの左右幅Ｔ１より長い対向間隔Ｔ２を存して形成され、上下方向に並列する貫通孔７ｄは一つおきの平板部７ｇに形成されるように構成されている。このような位置関係で貫通孔７ｄを形成することにより、多数の貫通孔７ｄが形成されて通気、採光機能を充分に発揮できるものでありながら、本体部７ａの強度を損なうことがないように配慮されている。また、通気用スラット７をアルミニウム製とすることにより、多数の貫通孔７ｄを開設したとしても、スティール製のもののように切断面に錆が発生するような心配がないように配慮されている。
【００１４】
前記打ち抜き工程において、貫通孔７ｄは、上下方向に隣接する二組の屋内外側リブ７ｅ、７ｆのあいだに形成される平板部７ｇに対し、屋外側から屋内側に向く方向で打ち抜くことにより形成されている。この場合に、貫通孔７ｄの上下方向の孔縁は、上側に位置する屋内外側リブ７ｅ、７ｆの下側片近傍、下側に位置する屋内外側リブ７ｅ、７ｆの上側片近傍に沿って形成されている。これによって、貫通孔７ｄを打ち抜き形成することにより屋内側に向けて突出するバリが発生したとしても、上下の孔縁に形成されるバリは、貫通孔７ｄの上下に位置する屋内側リブ７ｅの下側、上側の各側片に沿って形成され、バリとして先端尖鋭状に突出することがないように構成されている。また、屋内外側リブに沿って形成されるもの以外のバリは、平板部７ｇから屋内側に向けて先端尖鋭状に突出することになるが、平板部７ｇから屋内側に突出する屋内側リブ７ｅがバリの突出長さよりも突出するように形成されていて、バリが屋内側リブ７ｅを越えて突出することがないように設定されている。これによって、バリが突出する惧れのある通気用スラット７の屋内側面に人の手や指先等が触れたとしても、平板部７ｇの上下長さ（第二間隔Ｈ２）が短く、手や指先が貫通孔７ｄの形成される平板部７ｇに入り込むことがなく、貫通孔７ｄの孔縁のバリに達する前の段階で屋内側リブ７ｅに触れ、屋内側リブ７ｅに遮られる状態で、使用者がバリに直接触れて怪我をするようなことがなく、もって、バリを除去する（バリ処理）作業を不要にできるように構成されている。
因みに、屋内側リブ７ｅは屋外側リブ７ｆより突出長さが長く設定されており、バリが発生したとしても該バリの突出量よりも屋内側リブ７ｅのほうが長く突出するように設定されている。
尚、本実施の形態において、貫通孔７ｄが形成される屋内外側リブ７ｅ、７ｆの対向間である第二間隔Ｈ２の長さ寸法は２ミリメートルに設定されているが、該長さ寸法に限定されないことは勿論であって、本体部７ａの板厚、屋内外側リブ７ｅ、７ｆの大きさ等に基づいて適宜長さに設定することができる。つまり、第二間隔Ｈ２の長さ寸法は、人の指先が屋内側から平板部７ｇに向けて対向したとき、指先がバリに触れるほどに入り込まない長さに設定すればよく、バリが突出する側のリブ（屋内側リブ７ｅ）の突出長さや形状に応じて設定され、例えば１〜７ミリメートルの範囲とすることができる。
【００１５】
さらに、前記通気用スラット７は、本体部７ａが第一、第二連結片部７ｂ、７ｃ形成位置に対して屋内側に偏倚しており、押し出し加工の際に、上端側（開放方向）の第一連結片部７ｂと本体部７ａとのあいだの屋外側面に、本体部７ａよりも屋外側に偏倚して閉鎖方向（下方）に突出する雨水誘導突起７ｈが左右方向長尺状に一体形成されている。これによって、通気用スラット７の屋外側面に降りかかって付着した雨水等を雨水誘導突起７ｈが下方に向けて誘導し、貫通孔７ｄが開設されている本体部７ａ側に雨水等が流れ込むのを防止するように構成されている。
【００１６】
このように構成された通気用スラット７において、貫通孔７ｄは、屋外側リブ７ｆよりも屋内側に退避する平板部７ｇに形成されており、これによって、屋外側リブ７ｆが庇としての機能を発揮できるように構成されている。そのうえ、貫通孔７ｄは、上下の孔縁が屋内外側リブ７ｅ、７ｆに沿って形成されていることから、上下方向の孔長さは、上下に隣接する二組の屋内外側リブ７ｅ、７ｆの間隔である（平板部７ｇの上下長さである）第二間隔Ｈ２よりも僅かに短い上下孔長さＨ３に設定されている。そして、前記第二間隔Ｈ２の長さは、本実施の形態では、屋内外側リブ７ｅ、７ｆ形成部位の板厚Ｌ２に相当する長さと同様の寸法（Ｈ２＝Ｌ２）に設定されている。各貫通孔７ｄの屋内外方向の孔長さは屋内外側リブ７ｅ、７ｆ形成部位における板厚Ｌ２に略相当していて、上下方向の孔長さＨ３よりも長く設定されている。これによって、シャッターカーテン２に雨水等が吹き付けるような場合であっても、雨水が貫通孔７ｄを介して屋内側にまで吹き込み難く、さらには、屋内側を覗かれることがなく、プライバシー保護が図れるように構成されている。
尚、１１は任意の通気用スラット７であって、一枚おきの通気用スラット７の左右両端部に設けられた端部材であって、これら端部材１１は、シャッターカーテン２の開閉移動時においてガイドレール５に対する緩衝、消音部材として機能するとともに、隣接する通気用スラット７の位置ズレ防止部材として機能するように構成されている。
【００１７】
また、シャッターカーテン２の最下端に連結される座板スラット８は、通気用スラット７と同様にアルミニウムを押し出し加工することにより長尺状に形成されている。前記座板スラット８は、閉塞用スラット６、通気用スラット７とは異形に形成されており、上下方向を向く平板状のスラット片部８ａと、該スラット片部８ａの下端縁から屋内外方向に延出する下端片部８ｂと、スラット片部８ａの上端縁に形成され、通気用スラット７の第二連結片部７ｃにインターロック連結可能な連結片部８ｃとを備えて構成されている。
【００１８】
そして、前記座板スラット８のスラット片部８ａの屋内側面に主施錠装置１２が設けられている。本実施の形態の主施錠装置１２は、スラット片部８ａの左右方向一方（図１の図面向かって右側）に偏倚して設けられており、使用者は左右一対のサッシ窓の内の前記一方を開放することにより操作できる部位に位置して配設されている。
前記主施錠装置１２は自動施錠タイプであって、スラット片部８ａに対して左右方向移動自在に設けられる左右一対のラッチバー１２ａと、これらラッチバー１２ａに連動連結される操作レバー１２ｂとを備えて構成されている。そして、一対のラッチバー１２ａは、シャッターカーテン２が全閉姿勢になることに伴い左右方向に適宜変位して、左右のガイドレール５下端部にそれぞれ設けられる主ラッチ受け片５ａに自動的に係止して、シャッターカーテン２の開放規制（施錠状態）をするように構成されている。また、操作レバー１２ｂは、上動操作されることでラッチバー１２ａを左右方向内方に変位せしめて、ラッチバー１２ａと主ラッチ受け片５ａとの係止解除をするように構成されている。さらに、前記操作レバー１２ｂは、先端に把持部１２ｃが連結された紐状の操作具１２ｄが連結されている。そして、全閉姿勢となっているシャッターカーテン２に対し、把持部１２ｃ（操作具１２ｄ）を把持して上動操作することにより、主施錠装置１２の解錠操作と、シャッターカーテン２の開放操作とが連続してなされるように構成されている。
【００１９】
さらに、閉塞用スラット６と通気用スラット７とのあいだに連結される施錠用スラット９は、通気用スラット７と同様にアルミニウムを押し出し加工することにより長尺状に形成されている。前記施錠用スラット９は、閉塞用スラット６、通気用スラット７、座板スラット８とは異形に形成されており、上下方向中間部に位置する平板状の本体部９ａと、該本体部９ａの上下端縁部（短尺方向両端縁部）の第一、第二連結片部（インターロック片）９ｂ、９ｃとを備えて構成されている。前記本体部９ａの屋外側面には、通気用スラット７と同様の屋外側リブ９ｄが上下方向複数（八本）形成されており、通気用スラット７と統一感のある意匠となって意匠性の向上が図られている。また、第一、第二連結片部９ｂ、９ｃは、閉塞用スラット６の第二連結片部６ｃ、通気用スラット７の第一連結片部７ｂとインターロック連結可能な形状に形成されている。
そして、施錠用スラット９は、第一連結片部９ｂを最下端に位置する閉塞用スラット６の第二連結片部６ｃに、第二連結片部９ｃを最上端に位置する通気用スラット７の第一連結片部７ｂに対し、それぞれ左右方向からスライド嵌合させることにより、閉塞用スラット６と通気用スラット７とのあいだに揺動自在な状態でインターロック連結されている。
【００２０】
また、前記施錠用スラット９は、本体部９ａの屋内側面に副施錠装置１３が設けられている。前記副施錠装置１３は、施錠用スラット本体部９ａの屋内側面に形成された上下一対のガイド片９ｅに抜止め状、かつ、左右方向移動自在に内装される左右一対のラッチバー１３ａと、これらラッチバー１３ａの左右方向内端部にそれぞれ一体的に連結される手動操作用のスライダー１３ｂとを備えて構成されている。前記スライダー１３ｂはガイド片９ｅに外嵌状に設けられ、ガイド片９ｅに沿って左右方向移動自在となるように構成されており、これら各スライダー１３ｂの左右方向への変位に追随してラッチバー１３ａの左右方向外端部が施錠用スラット９の左右両端部から出没するように構成されている。そして、副施錠装置１３は、シャッターカーテン２の全閉姿勢において、左右のスライダー１３ｂを左右方向にスライド操作することで、各ラッチバー１３ａの左右方向外端部が左右のガイドレール５にそれぞれ設けられた副ラッチ受け片５ｂに係脱自在に係止して、シャッターカーテン２を開放規制（施錠状態）、開放規制解除（解錠状態）とするように構成されている。
これら左右のスライダー１３ｂは、座板スラット８に設けられた主施錠装置１２の操作レバー１２ｂ（把持部１２ｃ（操作具１２ｄ））部の直上方向に位置して設けられている。これによって、使用者は、前述したように、主施錠装置１２を操作するべく一方のサッシ窓を開放することにより、主施錠装置１２の把持部１２ｃ（操作具１２ｄ）の操作と、副施錠装置１３の一対のスライダー１３ｂの操作との両方の操作ができるように構成されている。
【００２１】
このように、シャッターカーテン２は、図３に示すように、複数枚の閉塞用スラット６、施錠用スラット９、複数枚の通気用スラット７、そして、座板スラット８をそれぞれインターロック連結することにより互いが揺動自在な状態で一連状に連結されている。そして、全閉姿勢のシャッターカーテン２を開放させる場合では、副施錠装置１３を解錠操作し、主施錠装置１２の把持部１２ｃ（操作具１２ｄ）を上動することにより、シャッターカーテン２がバランス弾機４ａの付勢力を受けて巻取りドラム４に巻装されて開口部を開放するように構成されている。この場合に、巻取りドラム４は、図２に示すように、全閉姿勢のシャッターカーテン２の屋外側に位置しており、シャッターカーテン２は、全閉姿勢において屋外側を向く面（屋外側面）が巻取りドラム４に対して内側面となって巻装されるように構成されている。
【００２２】
この全開姿勢への変姿において、シャッターカーテン２は、上方の閉塞用スラット６から順次巻装され、これら閉塞用スラット６に続いて施錠用スラット９、複数枚の通気用スラット７が巻取りドラム４に巻取られ、シャッターカーテン２の全開姿勢では、シャッターカーテン２の最下端に位置する座板スラット８の左右に設けられたストッパ片８ｄがシャッターケース３に形成されるまぐさ部３ａに係止する状態となって、全開姿勢が保持されるように構成されている。このシャッターカーテン２の全開姿勢における巻取りドラム４への巻装状態において、通気用スラット７の下端側と座板スラット８とは巻取りドラム４に巻装されることはないように構成されている。さらに、この巻装状態において、閉塞用スラット６に対して異形となる施錠用スラット９、通気用スラット７とは、これらが巻取りドラム４の外周上で互いに積層することがないよう、通気用スラット７の枚数が調整されている（本実施の形態では七枚）。これによって、異形の通気用スラット７を連結することで通気、採光機能を十分発揮することができる一方で、巻取りドラム４に巻取られた状態で巻形を乱す惧れのある異形のスラット９、７は巻取りドラム４の最外周に巻取られていて、巻取りドラム４の巻形が乱れて巻太りするような不具合がなく、シャッターケース３のコンパクト化を損なうことがないように構成されている。
【００２３】
また、シャッターカーテン２の全閉姿勢では、下端部に通気用スラット７が配設されて、該部位において貫通孔７ｄを介して通気、採光効果を発揮することが可能であるが、反面、通気用スラット７に複数の貫通孔７ｄが開設されているが故に、該貫通孔７ｄを利用して主施錠装置１２の近傍部位を破壊して、主施錠装置１２の操作レバー１２ｂを操作される惧れがあって防犯性に劣ることが懸念される。これに対し、このものでは、座板スラット８に設けられる主施錠装置１２により施錠するとともに、通気用スラット７よりも上方位置となる閉塞用スラット６とのあいだに配される施錠用スラット９に設けた副施錠装置１３により施錠することができるように構成されており、これによって、防犯性の問題を解決できるように配慮されている。
【００２４】
叙述の如く構成された本形態において、通気、採光機能を備えたシャッター装置１を構成するにあたり、シャッターカーテン２は、複数枚の閉塞用スラット６と、複数の貫通孔７ｄが開設された複数枚の通気用スラット７とを用いて構成されている。この場合に、通気用スラット７はアルミ製であるので、貫通孔７ｄの切断面に錆が発生するような不具合がない。そして、このものでは、本体部７ａの屋内外面に屋内外方向に突出する複数の屋内外側リブ７ｅ、７ｆがそれぞれ上下方向に複数形成され、これら上下に対向する屋内外側リブ７ｅ、７ｆの上下対向間に形成され、人の指先が入り込むことのない第二間隔Ｈ２に設定された平板部７ｇに、複数の通気、採光用の貫通孔７ｄが形成されている。この結果、貫通孔７ｄの孔縁のバリが突出する側となる通気用スラット７の屋内側面に使用者の手や指先が触れたとしても、バリに触れる前の段階で屋内側リブ７ｅに触れることになって、直接バリに触れて怪我をするようなことがなく、バリ処理作業を不要にできて、作業工程数を削減し、コスト低下に寄与できる。さらに、屋外側に位置する屋外側リブ７ｆが貫通孔７ｄの庇として機能して、貫通孔７ｄが多数形成されるものでありながら雨仕舞いの優れた通気用スラット７とすることができ、しかも、複数の左右方向に長い屋内外側リブ７ｅ、７ｆが形成されることで、通気用スラット７の強度アップを図ることが可能となる。
【００２５】
このように、本発明が実施されたものにあっては、金属製材料に複数の通気、採光用の貫通孔７ｄを打ち抜いて通気用スラット７を形成する場合に、屋内側リブ７ｅにより貫通孔７ｄの孔縁に形成されるバリに直接触れることがないようにしてバリ処理作業を不要とするものであるが、このものでは、貫通孔７ｄを上下に隣接する屋内外側リブ７ｅ、７ｆに沿って形成することにより、バリが屋内側リブ７ｅに沿って形成されて、先端尖鋭状になって突出することがないようにできる。
【００２６】
さらに、このものにおいて、本体部７ａに打ち抜き加工を実施して貫通孔７ｄを複数形成するにあたり、貫通孔７ｄは、上下に隣接する平板部７ｇに対して一つおきの平板部７ｇに形成されるようにしたので、多数の貫通孔７ｄが形成されるものでありながら、本体部７ａの強度を損なうことがない。
【００２７】
また、通気用スラット７は、複数の貫通孔７ｄが形成されているが、上端側の第一連結片部７ｂと本体部７ａとのあいだの屋外側面に、本体部７ａよりも屋外側に偏倚して下方に突出する雨水誘導突起７ｈが形成されているので、雨水等が本体部７ａの貫通孔７ｄを介して屋内側に流れ込むような不具合を防止できる。
【００２８】
尚、本発明は前記の実施の形態に限定されないことは勿論であって、図６（Ａ）、（Ｂ）に示す第二の実施の形態のようにすることもできる。
前記第二の実施の形態において、通気用スラット１４は、前記第一の実施の形態の通気用スラットと同様に、アルミニウム（アルミ材）を押し出し加工する工程と、打ち抜き加工する工程とを順次実施することにより形成されている。押し出し加工により、所定板厚Ｒ１を存した平板状の本体部１４ａと、該本体部１４ａの上下端縁部（短尺方向両端縁部）の第一、第二連結片部（インターロック片）１４ｂ、１４ｃとを備えた長尺体を形成し、長尺体に対し打ち抜き加工により本体部１４ａの複数箇所に対して貫通孔１４ｄが形成されて通気用スラット１４が形成されている。
【００２９】
そして、前記本体部１４ａの屋内外面に、それぞれ屋内外方向に向けて突出する左右方向に長い屋内側リブ１４ｅ、屋外側１４ｆ（屋内外側リブ１４ｅ、１４ｆ）が上下方向に複数形成されて、本体部の強度アップが図られている。これら屋内外に対向する各一対の屋内外側リブ１４ｅ、１４ｆは板厚Ｒ２となるように設定されるとともに、それぞれ本体部１４ａに対して屋内側ほど高位となるよう傾斜状に突出しており、任意の屋内外一対の屋内外側リブ１４ｅ、１４ｆが一直線上に位置するように構成されている。さらに、上下方向十二本形成される屋内外側リブ１４ｅ、１４ｆは、第一間隔Ｍ１を存する二本の屋内外側リブ１４ｅ、１４ｆを一組としたとき、六組の屋内外側リブ１４ｅ、１４ｆが上下方向に第二間隔Ｍ２を存して形成されている。そして、人の指先が入り込むことのない寸法（例えば２ミリメートル）に設定された第二間隔Ｍ２に相当する平板部１４ｇに、通気、採光用の貫通孔１４ｄが左右方向に長い長円状に打ち抜き形成されている。前記各貫通孔１４ｄは、屋外側から屋内側に向けて打ち抜かれるが、このとき、各貫通孔１４ｄの打ち抜き方向は、屋内側ほど高位となる傾斜方向に設定されていて、貫通孔１４ｄの上下の孔端面の傾斜方向が、屋内外一対の屋内外側リブ１４ｅ、１４ｆにより設定される傾斜方向と同方向となるように設定されている。これによって、貫通孔１４ｄの上部に位置する屋外側リブ１４ｆの突出端部が、貫通孔１４ｄ上側縁部の屋外側に対向しており、屋外側リブ１４ｆは、貫通孔１４ｄの庇としての機能が向上し、雨仕舞いの一層優れた通気用スラット１４となるように構成されている。さらに、貫通孔１４ｄを傾斜方向に打ち抜くことにより、貫通孔１４ｄの開口面積を、平板部１４ｇに対して直交方向に打ち抜いて形成される貫通孔の開口面積より大きくすることができ、通気、採光機能を向上させることができる。
尚、通気用スラット１４に雨水誘導突起１４ｈが形成されていて、通気用スラット１４に付着した雨水等が下方に向けて誘導されることで、さらなる雨仕舞いの向上が図られていることは、前記第一の実施の形態と同様である。
【００３０】
そして、第二の実施の形態のものでも、貫通孔１４ｄを打ち抜き形成することにより発生するバリのうち、上下のものは屋内外側リブ１４ｅ、１４ｆに沿って形成されることにより、先端尖鋭状になることがなく、それ以外の孔縁に形成されるバリについては屋内側リブ１４ｅを越えて屋内側に突出することがなく、通気用スラット１４の屋内側面に触れてもバリで怪我をすることはなく、もって、バリ処理作業を不要にできるものである。
さらに、前記各貫通孔１４ｄは、左右幅Ｓ１、上下孔長さＭ３にそれぞれ設定されるとともに、左右方向に隣接する貫通孔１４ｄは対向間隔Ｓ２を存して形成され、第一の実施の形態と同様に配置されることにより、多数の貫通孔１４ｄが形成されて通気、採光機能を充分に発揮できる通気用スラット１４でありながら、本体部１４ａの強度が損なわれないものとなっている。
【産業上の利用可能性】
【００３１】
本発明は、通気、採光用の貫通孔が形成されるシャッターカーテンのスラットを、機能性を十分に発揮しつつ、しかも、安価に提供する場合に利用することができる。
【符号の説明】
【００３２】
１  シャッター装置
２  シャッターカーテン
３  シャッターケース
４  巻取りドラム
５  ガイドレール
６  閉塞用スラット
７  通気用スラット
７ａ  本体部
７ｂ  第一連結片部
７ｄ  貫通孔
７ｅ  屋内側リブ
８  座板スラット
９  施錠用スラット
１２  主施錠装置
１３  副施錠装置
【図１】
0005414119.tif 000002
【図２】
0005414119.tif 000003
【図３】
0005414119.tif 000004
【図４】
0005414119.tif 000005
【図５】
0005414119.tif 000006
【図６】
0005414119.tif 000007